(57)【要約】【課題】コンセントカバーを閉じるときの衝撃を緩和でき、コンセントカバーを多数回開け閉めしても破損するおそれの少ないコンセントを提供する。【解決手段】コンセントカバー２をシャフト３２に取り付けるとともに、シャフト３２をダンパー部材３３の挿通孔３３ａに挿通して、シャフト３２に対して回動自在にダンパー部材３３を設けた。コンセントカバー２が回動するときには、シャフト３２もコンセントカバー２と一体的に回動し、シャフト３２とダンパー部材３３とが互いに擦れ合うことになる。よって、ダンパー部材３３とシャフト３２との間に摺動抵抗が生じ、コンセントカバー２の回転速度が遅くなるので、コンセントカバー２がコンセント本体に当接するときの衝撃が緩和される。また、挿通孔３３ａにグリスなどを注入することで、ダンパー部材３３の摩耗を抑制することができる。【選択図】図１
2011081962.tif 000002
【特許請求の範囲】
【請求項１】
挿入面に形成された栓刃挿入口に、プラグの栓刃が挿抜自在に挿入されるコンセント本体と、前記コンセント本体の挿入面を覆う閉位置と前記コンセント本体の挿入面を外部に露出させる開位置との間を変位可能なコンセントカバーと、前記コンセント本体に対して前記コンセントカバーをその一端部に設けられた回動軸の回りに回動自在に支持する支持部と、前記コンセントカバーを閉位置側へ付勢する付勢部材とを備え、
前記回動軸は、前記コンセントカバーに固定されて当該コンセントカバーと一体的に回動し、
前記支持部には、前記回動軸が挿入される軸孔を有するダンパー部材が設けられ、このダンパー部材は、前記コンセントカバーが前記支持部に対して回動する際に摺動抵抗を付加することで、前記付勢部材から前記コンセントカバーに付与される付勢力を減衰させることを特徴とするコンセント。
【請求項２】
前記支持部は、前記コンセント本体が挿入面を鉛直方向の略下向きとして壁面に配設された状態且つ前記コンセントカバーが閉じられた状態において、このコンセントカバーの下端となる位置から、当該コンセントカバーを支持しており、
前記コンセントカバーには、前記コンセント本体に対向する面を伝ってくる水を外部へと排出する水抜き孔が、当該コンセントカバーと前記支持部との間に隙間が形成されるように設けられていることを特徴とする請求項１記載のコンセント。
【請求項３】
前記コンセントカバーの面のうちで、閉位置において前記コンセント本体と対向する面に、この面を伝ってくる水を前記水抜き孔へと導くリブを設けたことを特徴とする請求項２記載のコンセント。
【請求項４】
前記コンセントカバーのうちで、閉位置において前記コンセント本体に当接する部位に、防水パッキンを設けたことを特徴とする請求項１〜３のいずれか１項記載のコンセント。
【請求項５】
前記コンセントカバーと前記コンセント本体の互いに対向する面のうち少なくともいずれか一方の面に、当該コンセントカバーとコンセント本体との間に介在して、このコンセントカバーが閉位置へと変位するときの衝撃を緩和する緩衝部材を設けたことを特徴とする請求項１〜４のいずれか１項記載のコンセント。
【請求項６】
前記コンセントカバーには、プラグの栓刃が前記栓刃挿入口に挿入されたときに、このプラグを保持することによって前記栓刃が前記栓刃挿入口に挿入された状態を維持する、保持部が設けられていることを特徴とする請求項１〜５のいずれか１項記載のコンセント。
【発明の詳細な説明】
【技術分野】
【０００１】
本発明は、栓刃挿入口を覆うカバーを備えたコンセントに関するものである。
【背景技術】
【０００２】
従来、家屋の外壁などに取り付けられる屋外用のコンセントがある。このような屋外コンセントは、例えば屋外用照明器具の点灯用などに利用されており、最近では電気自動車の充電用として用いられるようになってきている。
【０００３】
上記のような屋外コンセントは、栓刃挿入口に雨水などの水が浸入することを防ぐため、例えば特許文献１に記載されたコンセントカバーを装着するなどして、不使用時には栓刃挿入口（本文献中では差し込み口と記載）をカバー（本文献中では蓋と記載）で塞ぐようになっている。
【０００４】
上記従来例は、栓刃挿入口を露出させた状態でコンセントを収納するケース（上記文献中ではカバー本体と記載）と、コンセントの栓刃挿入口を覆うカバーとを備えており、このカバーは、回動軸を介してケースに対して回動自在に取り付けられている。またこのカバーは、バネなどの付勢部材によって閉じる方向（栓刃挿入口を塞ぐ方向）に付勢されており、不使用時には自動的に閉じるようになっている。さらに、カバーには凸状の摺接部が設けられるとともに、ケースには平面状の摺接部が設けられており、カバーが閉じる直前に上記摺接部同士が互いに擦れ合うことで、カバーの回転速度が遅くなるよう構成されている。これにより本従来例では、カバーが閉じるときの衝撃によってカバーが破損したり大きな音が発生することを抑制することができる。
【先行技術文献】
【特許文献】
【０００５】
【特許文献１】特開２００５−１５８３４５号公報
【発明の概要】
【発明が解決しようとする課題】
【０００６】
しかし上記従来例では、ケース側、カバー側の両方に摺接部を設ける必要があるため、ケースやカバーが大型化してしまうという課題があった。また、カバーが閉じるときにカバーの回転速度を適度に低下させるには、摺接部同士がわずかに接触する程度にカバーとケースの位置を合わせる必要があり、製造しにくいという課題があった。
【０００７】
本発明は上記事情に鑑みて為されたものであり、製造が容易であって、コンセントカバーが閉じるときの衝撃を緩和することができるコンセントを提供することを目的とする。
【課題を解決するための手段】
【０００８】
上記の目的を達成するために、請求項１の発明は、挿入面に形成された栓刃挿入口に、プラグの栓刃が挿抜自在に挿入されるコンセント本体と、前記コンセント本体の挿入面を覆う閉位置と前記コンセント本体の挿入面を外部に露出させる開位置との間を変位可能なコンセントカバーと、前記コンセント本体に対して前記コンセントカバーをその一端部に設けられた回動軸の回りに回動自在に支持する支持部と、前記コンセントカバーを閉位置側へ付勢する付勢部材とを備え、前記回動軸は、前記コンセントカバーに固定されて当該コンセントカバーと一体的に回動し、前記支持部には、前記回動軸が挿入される軸孔を有するダンパー部材が設けられ、このダンパー部材は、前記コンセントカバーが前記支持部に対して回動する際に摺動抵抗を付加することで、前記付勢部材から前記コンセントカバーに付与される付勢力を減衰させることを特徴とする。
【０００９】
請求項１の発明では、閉位置側へ付勢されたコンセントカバーが回動軸に取り付られるとともに、この回動軸には、当該回動軸と互いに擦れ合うようにダンパー部材が取り付けられている。従って、コンセントカバーが閉位置側へ回動するときに、回動軸とダンパー部材との間に生じる摺動抵抗によってコンセントカバーの閉じる勢いが弱められるので、コンセントカバーが閉じるときの衝撃を緩和することができる。また、摺動抵抗を付加するダンパー部材を支持部と一体的に設けたので、従来例のようにコンセント本体やコンセントカバーが大型化することがない。さらに、従来例のようにケースとカバーの位置合わせの必要がないため、容易にコンセントを組み立てることができる。。
【００１０】
請求項２の発明は、請求項１記載の発明において、前記支持部は、前記コンセント本体が挿入面を鉛直方向の略下向きとして壁面に配設された状態且つ前記コンセントカバーが閉じられた状態において、このコンセントカバーの下端となる位置から、当該コンセントカバーを支持しており、前記コンセントカバーには、前記コンセント本体に対向する面を伝ってくる水を外部へと排出する水抜き孔が、前記コンセントカバーと前記支持部との間に隙間が形成されるように設けられていることを特徴とする。
【００１１】
請求項２の発明では、支持部は、コンセント本体を壁面に取り付けた状態においてコンセントカバーを閉じたときに、コンセントカバーの下端となる位置から、当該コンセントカバーを支持している。そして、このコンセントカバーには、コンセントカバーと支持部との間に隙間が形成されるように、水抜き孔が形成されている。よって、コンセントカバーとコンセント本体によって囲まれる空間（この空間には、コンセントの栓刃挿入口が存在している）に雨水などが浸入しても、この水は水抜き孔から外部へ排出されるので、例えばこの水がコンセントの各栓刃挿入口内に入り込んで刃受間が短絡するなどの事態を防ぐことができる。また、この空間に浸入した水のうちでコンセントカバーの面上を下方へと伝ってくる水は、支持部に到達する前に水抜き孔から外部へ排出されるので、この水が支持部に浸入しにくくなっており、支持部に設けられたダンパー部材がこの水によって劣化することを防止することができる。
【００１２】
請求項３の発明は、請求項２記載の発明において、前記コンセントカバーの面のうちで、閉位置において前記コンセント本体と対向する面に、この面を伝ってくる水を前記水抜き孔へと導くリブを設けたことを特徴とする。
【００１３】
請求項３の発明では、コンセントカバーの面のうちでコンセント本体と対向する面に、この面を伝ってくる水を水抜き孔へと導くリブを設けている。これにより、この面を伝って支持部に流れ込もうとする水を水抜き孔へと誘導することができるので、この水が支持部に浸入しにくくなり、支持部に設けられたダンパー部材がこの水によって劣化することを確実に防止することができる。
【００１４】
請求項４の発明は、請求項１〜３のいずれか１項記載の発明において、前記コンセントカバーのうちで、閉位置において前記コンセント本体に当接する部位に、防水パッキンを設けたことを特徴とする。
【００１５】
請求項４の発明では、コンセントカバーに防水パッキンを設けたので、コンセントカバーとコンセント本体とで囲まれる空間に水が浸入することを防ぐことができる。
【００１６】
請求項５の発明は、請求項１〜４のいずれか１項記載の発明において、前記コンセントカバーと前記コンセント本体の互いに対向する面のうち少なくともいずれか一方の面に、当該コンセントカバーとコンセント本体との間に介在して、このコンセントカバーが閉位置へと変位するときの衝撃を緩和する緩衝部材を設けたことを特徴とする。
【００１７】
請求項５の発明では、コンセントカバーとコンセント本体の互いに対向する面のうち、少なくともいずれか一方の面に緩衝部材を設けたので、コンセントカバーが閉じるときの衝撃を、緩衝部材がないときよりもさらに緩和することができる。
【００１８】
請求項６の発明は、請求項１〜５のいずれか１項記載の発明において、前記コンセントカバーには、プラグの栓刃が前記栓刃挿入口に挿入されたときに、このプラグを保持することによって前記栓刃が前記栓刃挿入口に挿入された状態を維持する、保持部が設けられていることを特徴とする。
【００１９】
請求項６の発明では、コンセントカバーにプラグを保持する保持部を設けたので、プラグの栓刃を栓刃挿入口に挿入した状態でプラグから手を離してもプラグが自然に抜けることを防止でき、プラグが挿入された状態を維持することができる。
【発明の効果】
【００２０】
本発明は、製造が容易であって、コンセントカバーが閉じるときの衝撃を緩和することができるコンセントを提供することができる。
【図面の簡単な説明】
【００２１】
【図１】実施形態１の分解斜視図である。
【図２】同上を示し、図１とは異なる向きから見た分解斜視図である。
【図３】同上における、（ａ）はコンセントカバー２と支持部３の斜視図であり、（ｂ）は正面視右側の付勢バネ３４の斜視図である。
【図４】実施形態１の断面図である。
【図５】同上を示し、コンセントカバー２が閉位置にあるときの斜視図である。
【図６】同上を示し、コンセントカバー２が開位置にあるときの斜視図である。
【図７】同上を示し、プラグ９を挿入するときの側面図である。
【図８】同上を示し、プラグ９が挿入されたときの断面図である。
【図９】実施形態２におけるコンセントカバー２及び支持部３の斜視図である。
【図１０】実施形態３におけるコンセントカバー２及び支持部３の斜視図である。
【図１１】実施形態４を示し、コンセントカバー２が開位置にあるときの斜視図である。
【発明を実施するための形態】
【００２２】
（実施形態１）
本発明の第１の実施形態を、図１〜図８を参照して説明する。なお下記説明中に記載する上下左右及び前後の向きは、それぞれ図１及び図４中に示した直交座標の向きに対応する。
【００２３】
本実施形態のコンセント１は、主としてコンセント本体と、コンセントカバー２と、支持部３とから構成される。上記コンセント本体は、ボディ４と、ボディ４の下面から栓刃挿入口５１ａを露出させた状態でボディ４に収納されるコンセントブロック５と、ボディ４の前面、側面及び上面を覆う化粧カバー６とからなり、コンセントカバー２は、ボディ４の下面から露出した栓刃挿入口５１ａを覆うように、支持部３によってボディ４に対して回動自在に支持されている。また、ボディ４の後面はパッキン７及び絶縁取付枠８で覆われている。
【００２４】
ボディ４は、パッキン７が取り付けられる枠状のベース４１と、ベース４１の上部から前方に突出した突台４２とからなる。ベース４１前面の上端中央部及び下端中央部には、図示しない取付ねじが挿通される取付孔４１ａ，４１ｂが貫通し、下側の取付孔４１ｂの周囲には、ネジカバー４３の係止部４３ａを係止する係止孔４１ｃが設けられている。また、ベース４１の上側面には、突台４２との境界に沿って左右方向に嵌合溝４１ｄが形成されており、ベース４１の左右両側面には係止溝４１ｅが設けられている。突台４２は、略半円状の上壁部４２ａと、略半円筒状で下方に向かうにつれて前方へ突出するよう傾斜し、ベース４１の左右両側壁から連続して設けられた前壁部４２ｂと、略半円状の下壁部４２ｃとから構成される。そして突台４２の上壁部４２ａには、上側の取付孔４１ａに挿通される取付ねじを通す溝部４２ｄが凹設され、前壁部４２ｂの中央下部には、鉛直方向（上下方向）の２本の切り込みによって前後方向にたわみ自在に形成された撓み部４２ｅが設けられている。また、突台４２の下壁部４２ｃからベース４１の前面にかけては、後述するコンセントケース５１の露出面５１ｂが露出する挿通口４２ｆと、後述する支持部本体３１の支持段部３１ｃが露出する挿通口４１ｆとが、側面視略Ｌ字状に連続的に開口している。
【００２５】
コンセントブロック５は、外枠を構成するコンセントケース５１内に、プラグ９の栓刃９１ａを受ける刃受５２と、壁面から引き出された電線（図示せず）を保持するための錠バネ（図示せず）と、この錠バネを解除する解除ボタン（図示せず）とが収納されている。
【００２６】
コンセントケース５１には、露出面５１ｂの後述する凹部５１ｅの底面５１ｅ１に形成されてプラグ９の栓刃９１ａが挿入される栓刃挿入口５１ａと、電線を錠バネに挿入する電線挿入口５１ｃとが設けられている。ここで栓刃挿入口５１ａは、プラグ９の栓刃９１ａのうちの一対の電圧側栓刃及び接地側栓刃９１ａ１が挿入される略長方形の一対の平型栓刃挿入口５１ａ１と、プラグ９の栓刃９１ａのうちの接地極の栓刃９１ａ２が挿入される略半円状のピン型栓刃挿入口５１ａ２とにより構成されている。
【００２７】
露出面５１ｂの外周には、突台４２の下壁部４２ｃに載置される載置部５１ｄが露出面５１ｂと段をなして設けられており、載置部５１ｂが下壁部４２ｃに載置された状態では、露出面５１ｂが挿通口４２ｆから露出している。またこの露出面５１ｂには、プラグ９の栓刃９１ａの挿入方向において奥側に凹む、即ち図１において鉛直方向の上方に凹むとともに、下面からみて円形となる凹部５１ｅが設けられている。この凹部５１ｅは、栓刃挿入口５１ａを有する底面５１ｅ１と、底面５１ｅ１の周縁を取り囲むとともに上記挿入方向の手前側（即ち、鉛直方向の下方）に延びる側面５１ｅ２とにより構成されている。この凹部５１ｅには、後述するように、プラグ９のプラグケース９２の一部が挿入されることになる。
【００２８】
このコンセントケース５１は、図示しない取付ねじをコンセントケース５１の左右両側面に設けられたボディ取付部５１ｆに挿通し、この取付ねじを突台４２の後面に形成された取付穴４２ｇに螺合して、突台４２に固定される。
【００２９】
化粧カバー６は、合成樹脂から中空状に形成され、ボディ４の上面、前面、及び側面を覆ってボディ４に取り付けられる。この化粧カバー６は、突台４２の上壁部４２ａを覆う略半円状の上壁部６ａと、突台４２の半円筒状の前壁部４２ｂを覆う半円筒状の前壁部６ｂと、ベース４１の側面を覆う側壁部６ｃとから構成される。また図２に示すように、化粧カバー６の上壁部６ａの内面には下方へ向かって嵌合片６ｄが突設され、化粧カバー６の左右両側の側壁部６ｃの内面には、内側へ向かって側面視略Ｔ字状の嵌合片６ｅが形成されている。さらに化粧カバー６の前壁部６ｂの内面下部には、後方へ向かって爪状の係止部６ｆ（図４参照）が複数（例えば４つ）突設されている。この化粧カバー６は、ボディ４の上方から、嵌合片６ｄをベース４１上部の嵌合溝４１ｄに、嵌合片６ｅをベース４１側部の係止溝４１ｅにそれぞれスライド嵌合し、爪状の係止部６ｆを撓み部４２ｅの下部に係止することで、ボディ４に着脱自在に固定される。なお、化粧カバー６をボディ４から取り外すときには、撓み部４２ｅと化粧カバー６の前壁部６ｂとの間に下方から治具を差し込み、撓み部４２ｅを後方へ変位させて爪状の係止部６ｆを撓み部４２ｅから掛け外すことで、容易に化粧カバー６を取り外すことができる。
【００３０】
コンセントカバー２は、突台４２の下壁部４２ｃと略同一の半円状であって、前端面には前方へ向かって取手部２ａが突設されている。このコンセントカバー２の栓刃挿入口５１ａと対向する面（上面）の中央には、凹部２ｂが凹設され、凹部２ｂの中央には、プラグ９の栓刃９１ａを栓刃挿入口５１ａに挿入したときに当該プラグ９を引っかけて保持するための保持部２ｃが設けられている。また、コンセントカバー２の後端面には、略円筒状の２個の回動支持部２１が軸の方向を左右方向として同一直線上に並べて突設されており、この回動支持部２１には、後述するシャフト３２の径とほぼ等しい径の挿通孔２１ａ及び、後述する付勢バネ３４の直線部３４ｃが挿入される係止孔２１ｂ（図３（ａ）参照）が、軸方向に貫通している。
【００３１】
支持部３は、ベース４１前面の下部にネジ止め固定される支持部本体３１と、支持部本体３１に回動自在に保持されるシャフト３２と、シャフト３２の径とほぼ等しい径の挿通孔３３ａを有するウレタン製のダンパー部材３３と、２つの付勢バネ３４とを有している。付勢バネ３４は、図３（ｂ）に示すように、シャフト３２の径よりもわずかに大きな径を有する螺旋状のバネ部３４ａと、バネ部３４ａの一端から接線方向に延びる略Ｌ字状のＬ字部３４ｂと、バネ部３４ａの他端から軸方向に延びる直線部３４ｃとからなる。支持部本体３１は、略直方体状の支持基板部３１ａの上半分に、前方へ向かって略直方体状の基板段部３１ｂが突設され、基板段部３１ｂの中央部には、断面略Ｕ字状の支持段部３１ｃが前方へ突設されている。支持段部３１ｃには、シャフト３２の径よりもわずかに大きな径の挿通孔３１ｄが左右方向に貫通しており、支持段部３１ｃの左右両側には、付勢バネ３４の径よりもわずかに大きな径であって付勢バネ３４のバネ部３４ａの長さと略等しい深さの保持穴３１ｅが、挿通孔３１ｄから連続して形成されている。すなわち、支持段部３１ｃの左右両側には、２個の付勢バネ３４がそれぞれ収納される円筒状の保持穴３１ｅが形成されており、２つの保持穴３１ｅの中心同士をつなぐように、シャフト３２が挿通される挿通孔３１ｄが貫設されている。また、基板段部３１ｂにおいて保持穴３１ｅの後方には、付勢バネ３４のバネ部３４ａの左右方向の長さとほぼ等しい幅の溝３１ｆが、保持穴３１ｅから連続して形成されている（図３（ａ）参照）。すなわち付勢バネ３４は、バネ部３４ａを下方からスライドさせて溝３１ｆを通し、さらに前方へスライドさせることで保持穴３１ｅに嵌め込まれる。また、支持部本体３１の後面にはダンパー部材３３と略同一形状の収納穴３１ｇが設けられており（図２参照）、ダンパー部材３３は、この収納穴３１ｇの内部に収納されて、支持部本体３１に対して動かないように固定されている。そして、ダンパー部材３３が収納穴３１ｇに収納された状態では、支持部本体３１の挿通孔３１ｄとダンパー部材３３の挿通孔３３ａとが同一直線上に配置されて、双方にシャフト３２が挿通されるようになっている。
【００３２】
パッキン７は、軟質塩化ビニルなどの弾性材料からなり、ベース４１の後方に取り付けられる。このパッキン７の外郭の寸法は、ベース４１の外郭の寸法と略同一であって、パッキン７で壁面とボディ４との間を密着することにより、壁面とボディ４の間から雨水などの水がコンセント１の内部に浸入することを抑制している。このパッキン７の上端中央部及び下端中央部には、ボディ４を壁面に取り付けるための前記取付ねじが挿通される取付孔７ａ，７ｂがそれぞれ穿孔されている。また、パッキン７の前面には、ボディ４のベース４１後面に形成された嵌合リブ４１ｇに嵌め込まれる嵌合溝７ｃが設けられ、中央上部には、壁面から引き出された電線を挿通する挿通孔７ｄが貫通している。
【００３３】
絶縁取付枠８は、その外郭の寸法がパッキン７の外郭の寸法よりも小さく形成されて、パッキン７の後方からこのパッキン７の内部に収納される。そして絶縁取付枠８の上端中央部及び下端中央部には、前述の取付ねじが挿通される取付孔８ａ，８ｂがそれぞれ穿孔され、中央部には、上記壁面から引き出された電線が挿通される挿通孔８ｃが形成されている。
【００３４】
次に、本実施形態の内部構造について説明する。
【００３５】
図４に示すように、コンセントブロック５は、ボディ４の突台４２に収納されている。そして、コンセントブロック５の一部は、突台４２の下壁部４２ｃに設けられた貫通孔である挿通口４２ｆに挿入されている。具体的には、コンセントケース５１の載置部５１ｄが突台４２の下壁部４２ｃに載置され、露出面５１ｂと載置部５１ｄとを段状につなぐ側面部５１ｇが挿通口４２ｆの周縁に当接した状態において、露出面５１ｂが挿通口４２ｆから露出するように突台４２に対してコンセントブロック５が配置されている。このとき、突台４２の下壁部４２ｃの下面と露出面５１ｂとで、コンセント本体の挿入面を形成している。
【００３６】
ここで挿通口４２ｆは、前方に向かうにつれて鉛直方向の上方に傾斜する形状となっている。そのため、コンセントブロック５は、鉛直方向の下方に向かうにつれて前方へ突出するよう傾斜した態様で、突台４２に取り付けられている。コンセントケース５１の凹部５１ｅの底面５１ｅ１には、栓刃挿入口５１ａが形成されており、この底面５１ｅ１及び栓刃挿入口５１ａは、挿通口４２ｆと同様に、前方に向かうにつれて鉛直方向の上方に傾斜している。
【００３７】
ベース４１には、挿通口４１ｆから支持段部３１ｃが突出する態様で、支持部３が後方から取り付けられている。支持部３の支持部本体３１は、支持基板部３１ａに穿孔された２つの取付孔３１ｈ（図３（ａ）参照）に挿通されるとともにベース４１後面に形成されたねじ穴４１ｈ（図２参照）に螺合する図示しない取付ねじによって、後方からベース４１に固定される。そして、支持基板部３１ａ下方に形成された略長方形状の３つの係止孔３１ｉには、ネジカバー４３の上部から後方へ突設されるとともにベース４１に形成された係止孔４１ｉに挿通された３つのカバー爪４３ｂが、挿通されている。
【００３８】
コンセントカバー２と支持部３とは、コンセントカバー２の回動支持部２１に形成された係止孔２１ｂに付勢バネ３４の直線部３４ｃを挿通した後、付勢バネ３４のバネ部３４ａを保持穴３４ｅに嵌め込むとともに付勢バネ３４のＬ字部３４ｂを支持部本体３１の支持段部３１ｃに掛けて（図３（ａ）参照）、シャフト３２を、回動支持部２１の挿通孔２１ａと、付勢バネ３４と、支持段部３１ｃの挿通孔３１ｄと、ダンパー部材３３の挿通孔３３ａとにそれぞれ挿通することで、一体的に組み立てられる。ここで、ダンパー部材３３の挿通孔３３ａにはグリスが注入されており、シャフト３２は、ダンパー部材３３と擦れ合いながら、このダンパー部材３３に対して回動するようになっている。一方シャフト３２は、回動支持部２１の挿通孔２１ａに圧入固定されており、コンセントカバー２とシャフト３２とが一体的に回動するようになっている。またこの場合において、コンセントカバー２を閉位置から回動させた状態では、コンセントカバー２が閉位置にあるときと比べて付勢バネ３４のバネ部３４ａの径が変化しており、元の径に戻ろうとする弾性力が働くので、コンセントカバー２は閉位置側へと付勢されることになる。
【００３９】
すなわちコンセントカバー２は、挿通口４２ｆ及び栓刃挿入口５１ａを鉛直方向の下方より覆う閉位置と、挿通口４２ｆから離間した開位置との間を、シャフト３２を回転中心として回動可能であって、付勢バネ３４によって閉位置側へと付勢されている。
【００４０】
また、前述のようにボディ４のベース４１の後方にはパッキン７が設けられ、パッキン７後方には、絶縁取付枠８が収納されている。そして図示しない２つの取付ねじを、ベース４１に形成された取付孔４１ａ，４１ｂと、パッキン７に形成された取付孔７ａ，７ｂと、絶縁取付枠８に形成された取付孔８ａ，８ｂとにそれぞれ挿通することで、ボディ４と壁面との間にパッキン７と絶縁取付枠８とが挟まれる態様で、それぞれの位置が維持されて壁面に固定される。
【００４１】
次に、図５〜８を参照して、プラグ９の栓刃９１ａを栓刃挿入口５１ａへ挿抜するときの動作について説明する。
【００４２】
まず、図５を参照して、プラグ９の栓刃９１ａが栓刃挿入口５１ａへ挿入されていないときのコンセント１の状態について説明する。
【００４３】
図５に示すようにコンセントカバー２が閉位置にあるときには、このコンセントカバー２は、ボディ４の突台４２の下面を覆うとともに化粧カバー６の下面の全面を鉛直方向の下方から覆う状態にて維持されている。具体的には、コンセントカバー２は化粧カバー６の開口した下面とほぼ同一形状であって、前方では化粧カバー６の下端面に当接し、後方では化粧カバー６の側面に当接しており、化粧カバー６を下側からほぼ隙間無く覆っている。この状態では、コンセントカバー２に、挿通口４２ｆに向かって付勢する力が付勢バネ３４によって作用している。これにより、例えばコンセントカバー２の自重によりコンセントカバー２が鉛直方向の下方に回動して化粧カバー６とコンセントカバー２との間に隙間が形成されることを抑制している。
【００４４】
ところで、一般に、栓刃挿入口を覆うコンセントカバーを開閉可能に設けた場合、プラグを挿入するためにコンセントカバーを開け、プラグを抜いた後にこのコンセントカバーを閉め忘れる場合がある。この場合には、例えばこのコンセントの付近において洗車をしているときに、洗車に使用していた水が栓刃挿入口に浸入してしまう可能性がある。その点本実施形態では、支持部３に付勢バネ３４を設けてコンセントカバー２を常に挿通口４２ｆに向かい付勢するようにしているため、コンセントカバー２の閉め忘れを回避することができる。
【００４５】
次に、図６及び図７を参照して、プラグ９の栓刃９１ａを栓刃挿入口５１ａへ挿入するときの動作について説明する。
【００４６】
プラグ９の栓刃９１ａを栓刃挿入口５１ａに挿入するときには、まず、コンセントカバー２の取手部２ａを手で持ってコンセントカバー２を下方へ回動させ、コンセントカバー２を開く。この状態から、プラグ９のプラグケース９２において栓刃９１ａが設けられた前面９２ａが、コンセントケース５１の底面５１ｅ１に当たるまでプラグ９を上方へ押し込んで、栓刃９１ａを栓刃挿入口５１ａへ差し込む。
【００４７】
次に、図８を参照して、プラグ９の栓刃９１ａを栓刃挿入口５１ａへ挿入したときのコンセント１の状態について説明する。
【００４８】
コンセントブロック５に収納された刃受５２は、プラグ９の各栓刃９１ａに対応して設けられている。具体的には、刃受５２は、栓刃９１ａにおける電圧側栓刃及び接地側栓刃９１ａ１のそれぞれを各栓刃９１ａ１の両側から挟む電源側刃受と、栓刃９１ａにおける接地極の栓刃９１ａ２を栓刃９１ａ２の両側から挟む接地側刃受とにより構成されている。電源側刃受及び接地側刃受のそれぞれは、各栓刃９１ａ１及び９１ａ２を挟むときに、弾性変形する。そしてこの弾性変形に起因する復元力によって、電源側刃受及び接地側刃受は、各栓刃９１ａ１及び９１ａ２のそれぞれを保持するようになる。
【００４９】
また本実施形態では、プラグ９の栓刃９１ａが栓刃挿入口５１ａに挿入されたときに、保持部２ｃによってプラグ９を係止している。具体的には、図８に示すように、プラグ９の栓刃９１ａが栓刃挿入口５１ａへ挿入されたときには、コンセントカバー２の凹部２ｂ内に形成された保持部２ｃが、プラグケース９２の背面９２ｂに下方から当接した状態となる。すなわち、プラグケース９２の背面９２ｂを保持部２ｃに引っかけて、プラグ９を保持している。このときコンセントカバー２は、付勢バネ３４によって図８において時計回りに回動するよう付勢されているので、保持部２ｃがプラグ９を上方へ持ち上げることになり、安定してプラグ９を保持することができる。また、このように保持部２ｃでプラグ９を保持することで、プラグ９はコンセント１から抜けにくくなっており、例えばプラグ９のケーブルに足を引っ掛けた場合でもプラグ９がコンセント１から抜けないようになっている。
【００５０】
さらに、本実施形態ではコンセントケース５１に凹部５１ｅを設け、この凹部５１ｅ内にプラグケース９２が挿入される構成としている。したがって、プラグ９の栓刃９１ａが栓刃挿入口５１ａに挿入されてプラグ９が通電しているときには、プラグケース９２の前面９２ａと挿通口４２ｆとの間には隙間が生じておらず、通電した栓刃９１ａに手などが触れにくくなっている。
【００５１】
最後に、図７及び図８を参照して、プラグ９の栓刃９１ａを栓刃挿入口５１ａから抜くときの動作について説明する。
【００５２】
プラグ９の栓刃９１ａを栓刃挿入口５１ａに挿入した状態（図８参照）から、取手部２ａを持ってコンセントカバー２を後方へ回転させ、保持部２ｃとプラグケース９２の背面９２ｂとを離間させた状態において、プラグ９を挿入方向の手前側（鉛直方向の下方）に引くと、プラグ９の栓刃９１ａが栓刃挿入口５１ａから抜ける。ここからプラグ９を下方へ引くことで、容易にプラグ９を抜くことができる。
【００５３】
プラグ９を抜いた後にコンセントカバー２の取手部２ａから手を離すと、付勢バネ３４の付勢力により、コンセントカバー２は閉位置側へと（図７において時計回りに）回動する。ここで、シャフト３２はコンセントカバー２の回動支持部２１に圧入固定されているので、シャフト３２もコンセントカバー２とともに回動する。このとき、シャフト３２とダンパー部材３３とが擦れて摺動抵抗が生じるので、シャフト３２及びコンセントカバー２の回転速度が低下する。すなわち本実施形態では、コンセントカバー２が化粧カバー６に当接するときのコンセントカバー２の回転速度が、ダンパー部材３３が無い場合に比べて遅くなるので、コンセントカバー２が閉じるときの衝撃を緩和することができる。また、本実施形態ではダンパー部材３３を支持部本体３１に動かないように固定しているので、ダンパー部材３３を固定していない場合よりも、回動するシャフト３２に対して強い摺動抵抗を与えられるようになっている。
【００５４】
以上のように本実施形態は、ダンパー部材３３を設けることでコンセントカバー２が閉じるときの衝撃が緩和され、コンセントカバー２を閉じるときに大きな音が発生したり、衝撃でコンセントカバー２が破損したりする事態を防止することができる。また、摺動抵抗を付加するダンパー部材３３を支持部３と一体的に設けたので、従来例のようにコンセント本体やコンセントカバーが大型化することがない。さらに、ダンパー部材３３を配設する際に従来例のような位置合わせの手間がなく、容易にコンセント１を組み立てることができる。
（実施形態２）
本発明の第２の実施形態を、図９を参照して説明する。なお本実施形態は、コンセントカバー２に水抜き孔２２とリブ２３を設けた以外の構造は、上記実施形態１と同様であるので、コンセントカバー２以外の構成要素については説明を省略する。
【００５５】
上記実施形態１では、化粧カバー６の下面を覆うようにコンセントカバー２を設けることで、コンセントカバー２と化粧カバー６とで囲まれた空間（栓刃挿入口５１ａがある空間）に水が浸入しにくくなっている。しかし、このような構造であっても水の浸入を完全に防止することは難しく、例えばコンセントカバー２の取手部２ａと化粧カバー６の前壁部６ｂとの間のわずかな隙間から、雨水が浸入するおそれがある。この水は、例えば、コンセントカバー２に対して鉛直方向の下方にある支持部３に流れ込んで、ウレタンからなるダンパー部材３３を劣化させるおそれがある。
【００５６】
そこで本実施形態は、図９に示すように、コンセントカバー２の２つの回動支持部２１の間に水抜き孔２２を設け、回動支持部２１の前方（回動支持部２１からみて取手部２ａ側）にリブ２３を設けた。この水抜き孔２２は、コンセントカバー２を支持部３に取り付けた状態において、保持段部３１ｃとコンセントカバー２との間に隙間が生じるように形成され、リブ２３は、取手部２ａから回動支持部２１へ向かって流れる水を水抜き孔２２へと導くように、コンセントカバー２の上面（閉位置にあるときに栓刃挿入口５１ａに対向する面）に、この面よりも一段高く形成されている。これにより、この空間内に浸入した水は、リブ２３に沿って水抜き孔２２へと流れて外部へ排出される。よって、支持部３に水が流れ込んでダンパー部材３３が劣化することを防止することができる。
（実施形態３）
本発明の第３の実施形態を、図１０を参照して説明する。なお本実施形態は、コンセントカバー２に防水パッキン２４を設けた以外の構造は、上記実施形態１と同様であるので、コンセントカバー２以外の構成要素については説明を省略する。
【００５７】
本実施形態では、コンセントカバー２の上面（閉位置にあるときに栓刃挿入口５１ａに対向する面）及び側面に、この側面に沿って、エラストマーなどの弾力性を有する材料から形成された略Ｕ字状の防水パッキン２４を設けている。これにより、コンセントカバー２が閉位置にあるときにはコンセントカバー２と化粧カバー６とが隙間無く密着するので、コンセントカバー２と化粧カバー６とで囲まれた空間への水の浸入を防止することができる。
【００５８】
なお本実施形態の構成に加えて、実施形態２のように、コンセントカバー２に水抜き孔やリブを設けてもよい。
（実施形態４）
本発明の第４の実施形態を、図１１を参照して説明する。下記説明中での上下の方向は、図１１中の上下方向に対応している。なお本実施形態は、突台４２の下壁部４２ｃに緩衝部材１０を設けた以外の構造は、上記実施形態１と同様であるので、共通の構成要素については同一の符号を付して説明を省略する。
【００５９】
本実施形態は、図１１に示すように、突台４２の下壁部４２ｃの下面に、ポリウレタンなどからなる円柱状の緩衝部材１００を突設したことを特徴とする。よって本実施形態は、コンセントカバー２が開位置から閉位置へと変位するときに、実施形態１と同様にダンパー部材３３とシャフト３２との間に生じる摺動抵抗によってコンセントカバー２の回転速度が低下するのに加えて、コンセントカバー２が緩衝部材１００に当接することで衝撃が緩和されるので、実施形態１よりもさらに衝撃を緩和することができる。
【００６０】
なお、緩衝部材１００はコンセントケース５１の露出面５１ｂやコンセントカバー２の上面などに設けてもよく、複数箇所に同時に設けることもできる。
【００６１】
また本実施形態の構成に加えて、実施形態２や実施形態３のように、水抜き孔やリブ、防水パッキンを設けてもよい。
【符号の説明】
【００６２】
１    コンセント
２    コンセントカバー
２１  回動支持部
３    支持部
３１  支持部本体
３１ｄ  挿通孔
３１ｅ  保持穴
３１ｇ  収納穴
３２  シャフト
３３  ダンパー部材
３３ａ  挿通孔
３４  付勢バネ
４    ボディ
５    コンセントブロック
５１ａ  栓刃挿入口
５１ｂ  露出面
【図１】
2011081962.tif 000003
【図２】
2011081962.tif 000004
【図３】
2011081962.tif 000005
【図４】
2011081962.tif 000006
【図５】
2011081962.tif 000007
【図６】
2011081962.tif 000008
【図７】
2011081962.tif 000009
【図８】
2011081962.tif 000010
【図９】
2011081962.tif 000011
【図１０】
2011081962.tif 000012
【図１１】
2011081962.tif 000013